(57)【要約】【課題】コンパクト且つ損傷のおそれが少ない構成でスライド部を精度よくガイドする。【解決手段】電動工具用集塵装置は、電動工具に装着可能な本体ケース４１と、本体ケース４１に設けられ、前端に吸込口を備えたノズル４４を有する筒状のスライド部４３と、ノズル４４から吸い込まれた粉塵を貯留するダストボックスとを含んでなり、スライド部４３には、本体ケース４１に設けられたガイド金具６５へスライド可能に支持されるガイドレール９０が設けられ、ガイド金具６５及びガイドレール９０は、スライド部４３の中心Ｏを通る断面線Ｌより下半分側の領域内に配置されている。【選択図】図６
2018114566.tif 000002
【特許請求の範囲】
【請求項１】
電動工具に装着可能な本体ケースと、前記本体ケースに設けられ、吸込口を備えたノズルを前端に有する筒状のスライド部と、前記ノズルから吸い込まれた粉塵を貯留する集塵部と、を含んでなる電動工具用集塵装置であって、
前記スライド部には、前記本体ケースに設けられたガイド部に前後方向へスライド可能に支持される被ガイド部が設けられ、前記ガイド部及び前記被ガイド部は、前記スライド部の中心を通る断面線より半分側の領域内に配置されていることを特徴とする電動工具用集塵装置。
【請求項２】
前記被ガイド部は、前記スライド部から突出したレール状の突起であり、前記突起には、前記スライド方向と直交する横断面で見て４方向に被ガイド面が形成されていることを特徴とする請求項１に記載の電動工具用集塵装置。
【請求項３】
前記ガイド部が金属製であることを特徴とする請求項１又は２に記載の電動工具用集塵装置。
【請求項４】
前記スライド部は、前記本体ケースを前記電動工具へ装着した状態で、前記電動工具の先端工具の真下から左右何れかへずれる位置となるように前記本体ケースに配置されて、前記突起は前記スライド部の下方に配置され、前記ガイド部及び前記突起は、前記スライド部の中心より下側の領域内に配置されていることを特徴とする請求項２又は３に記載の電動工具用集塵装置。
【請求項５】
前記スライド部は、前記本体ケースを前記電動工具へ装着した状態で、前記電動工具の先端工具の真下に位置するように前記本体ケースに配置されて、前記突起は、前記スライド部の真下から左右何れかへずれる位置に配置され、前記ガイド部及び前記突起は、前記スライド部の中心より左右何れか一方側の領域内に配置されていることを特徴とする請求項２又は３の記載の電動工具用集塵装置。
【請求項６】
前記スライド部は、複数の筒体を備えて伸縮可能なテレスコープ構造であることを特徴とする請求項５に記載の電動工具用集塵装置。
【請求項７】
前記本体ケースに、前記スライド部を前方へ突出付勢する渦巻きバネが設けられて、前記渦巻きバネは、前記ガイド部と前記被ガイド部との間を通って前記スライド部に連結されていることを特徴とする請求項１乃至６の何れかに記載の電動工具用集塵装置。
【請求項８】
請求項１乃至７の何れかに記載の電動工具用集塵装置を装着してなる電動工具。
【発明の詳細な説明】
【技術分野】
【０００１】
本発明は、電動ドリルやハンマードリル等の電動工具に装着される電動工具用集塵装置と、その集塵装置を装着した電動工具とに関する。
【背景技術】
【０００２】
電動ドリルやハンマードリル等の電動工具には、穿孔作業等の際に被加工材から発生する粉塵を集塵して回収する集塵装置が装着されることがある。この電動工具用集塵装置としては、特許文献１に開示のものが知られている。ここでは、電動工具のハウジングに装着されるハウジングの前端に、前方へ突出して前後方向に摺動可能で、前端に吸込口を備えた通風部材（スライドパイプ）を設け、ハウジング内に、吸込口から吸い込んだ空気が通風部材を通過してハウジングに形成された吐出口に至る空気通路を形成すると共に、その空気通路上にフィルタを収容して空気中の粉塵をフィルタで捕捉する構造となっている。また、通風部材は、一方の側面に設けたガイドレールをハウジングに設けた嵌合部に嵌合させ、他方の側面に設けた凹部にハウジングに設けた凸部を嵌合させて摺動可能となっており、通風部材の側面のラックに係合する調整部材の位置の調整により、通風部材の後退位置が変更可能となっている。
【先行技術文献】
【特許文献】
【０００３】
【特許文献１】特許第５７０７２９３号公報
【発明の概要】
【発明が解決しようとする課題】
【０００４】
上記従来の電動工具用集塵装置においては、通風部材（スライド部）の左右両側に嵌合部及び凸部（ガイド部）とガイドレール及び凹部（被ガイド部）とが設けられるため、左右方向の寸法が大きくなり、狭い場所での操作性が悪くなる。また、横置きした際には側面に露出する調整部材やガイドレールが床面等に当接して損傷するおそれが生じる。さらに、ガイド部と被ガイド部とがスライド部の左右に離れた位置に配置されるため、左右方向の精度を出しにくく、こじれやガタが生じて摺動性が悪くなる場合もある。
【０００５】
そこで、本発明は、コンパクト且つ損傷のおそれが少ない構成でスライド部を精度よくガイドできる電動工具用集塵装置及び電動工具を提供することを目的としたものである。
【課題を解決するための手段】
【０００６】
上記目的を達成するために、請求項１に記載の発明は、電動工具に装着可能な本体ケースと、本体ケースに設けられ、吸込口を備えたノズルを前端に有する筒状のスライド部と、ノズルから吸い込まれた粉塵を貯留する集塵部と、を含んでなる電動工具用集塵装置であって、
スライド部には、本体ケースに設けられたガイド部に前後方向へスライド可能に支持される被ガイド部が設けられ、ガイド部及び被ガイド部は、スライド部の中心を通る断面線より半分側の領域内に配置されていることを特徴とする。
請求項２に記載の発明は、請求項１の構成において、被ガイド部は、スライド部から突出したレール状の突起であり、突起には、スライド方向と直交する横断面で見て４方向に被ガイド面が形成されていることを特徴とする。
請求項３に記載の発明は、請求項１又は２の構成において、ガイド部が金属製であることを特徴とする。
請求項４に記載の発明は、請求項２又は３の構成において、スライド部は、本体ケースを電動工具へ装着した状態で、電動工具の先端工具の真下から左右何れかへずれる位置となるように本体ケースに配置されて、突起はスライド部の下方に配置され、ガイド部及び突起は、スライド部の中心より下側の領域内に配置されていることを特徴とする。
請求項５に記載の発明は、請求項２又は３の構成において、スライド部は、本体ケースを電動工具へ装着した状態で、電動工具の先端工具の真下に位置するように本体ケースに配置されて、突起は、スライド部の真下から左右何れかへずれる位置に配置され、ガイド部及び突起は、スライド部の中心より左右何れか一方側の領域内に配置されていることを特徴とする。
請求項６に記載の発明は、請求項５の構成において、スライド部は、複数の筒体を備えて伸縮可能なテレスコープ構造であることを特徴とする。
請求項７に記載の発明は、請求項１乃至６の何れかの構成において、本体ケースに、スライド部を前方へ突出付勢する渦巻きバネが設けられて、渦巻きバネは、ガイド部と被ガイド部との間を通ってスライド部に連結されていることを特徴とする。
上記目的を達成するために、請求項８に記載の発明は、電動工具であって、請求項１乃至７の何れかに記載の電動工具用集塵装置を装着してなることを特徴とする。
【発明の効果】
【０００７】
請求項１及び８に記載の発明によれば、スライド部の半分側の領域内にある被ガイド部のみでスライド部をガイドできるため、ガイド構造がコンパクトとなって狭い場所での操作性も良好となる。また、被ガイド部が露出しにくくなるため、損傷のおそれが少なくなる。さらに、狭い領域で被ガイド部がガイドされることで、こじれやガタが生じにくくなり、スライド部を摺動性を保ちつつ精度よくガイドすることができる。
請求項２に記載の発明によれば、上記効果に加えて、スライド部を４方向の被ガイド面によってがたつきなくスムーズにガイドでき、ガイドの精度も良好となる。
請求項３に記載の発明によれば、上記効果に加えて、ガイド部を金属製としたことで、強度が確保できる。
請求項４に記載の発明によれば、上記効果に加えて、ガイド部及び突起をスライド部の下半分側の領域内に配置したことで、ガイド部及び突起が平面視でスライド部から露出することがなく、特に上方からの損傷を受けにくくなる。
請求項５に記載の発明によれば、上記効果に加えて、ガイド部及び突起をスライド部の左右一方側の領域内に配置したことで、ガイド部及び突起が側面視でスライド部から露出することがなく、特に側方からの損傷を受けにくくなる。
請求項６に記載の発明によれば、上記効果に加えて、スライド部をテレスコープ構造としたことで、前後へのスライドがよりスムーズになる。
請求項７に記載の発明によれば、上記効果に加えて、渦巻きバネを、ガイド部と被ガイド部との間を通ってスライド部に連結しているので、渦巻きバネを省スペースでスライド部に連結することができる。
【図面の簡単な説明】
【０００８】
【図１】集塵システムの前方からの斜視図である。
【図２】集塵システムの側面図である。
【図３】集塵システムの平面図である。
【図４】集塵システムの正面図である。
【図５】ハンマードリルの斜視図である。
【図６】図２のＡ−Ａ線部分断面図である。
【図７】図３のＢ−Ｂ線部分断面図である。
【図８】電動工具用集塵装置の結合部分の一部断面図である。
【図９】図８のＣ−Ｃ線断面図である。
【図１０】電動工具用集塵装置の前方からの斜視図である。
【図１１】電動工具用集塵装置の後方からの斜視図である。
【図１２】本体ケースの前方からの斜視図である。
【図１３】本体ケースの後方からの斜視図である。
【図１４】ガイド金具の斜視図である。
【図１５】ダストボックスの説明図で、（Ａ）は前方からの斜視、（Ｂ）は後方からの斜視をそれぞれ示す。
【図１６】ダストボックスの説明図で、（Ａ）は背面、（Ｂ）はＤ−Ｄ線断面をそれぞれ示す。
【図１７】ダストボックスの中央縦断面図である。
【図１８】ボックス本体を透過させてダストボックス内の空気の流れを示す説明図で、（Ａ）は左側前方からの斜視、（Ｂ）は右側前方からの斜視をそれぞれ示す。
【図１９】スライド部が後退した状態を示す側面図である。
【図２０】スライド部の変更例を示す集塵システムの側面図である。
【図２１】スライド部の変更例を示す集塵システムの斜視図である。
【図２２】スライド部の他の変更例を示す集塵システムの側面図である。
【図２３】スライド部の他の変更例を示す集塵システムの正面図である。
【図２４】スライド部の他の変更例を示す集塵システムの平面図である。
【図２５】図２２のＥ−Ｅ線断面図である。
【図２６】図２２のＦ−Ｆ線断面図である。
【図２７】ガイド金具の斜視図である。
【図２８】図２４のＧ−Ｇ線断面図である。
【発明を実施するための形態】
【０００９】
以下、本発明の実施の形態を図面に基づいて説明する。
図１〜３は、電動工具であるハンマードリル１に電動工具用集塵装置（以下単に「集塵装置」という。）４０を装着した集塵システムＳの一例を示すもので、図１は前方からの斜視図、図２は側面図、図３は平面図、図４は正面図である。
（ハンマードリルの説明）
ハンマードリル１は、図５及び８にも示すように、本体ハウジング２の前側下部に、出力軸５を上向きにしたモータ４を収容するモータハウジング３を上下方向に内設し、その上方に、クランク機構及び回転機構を収容したギヤハウジング６を内設して、その前方に、ツールホルダを前向きに収容する前ハウジング７を組み付けて、本体ハウジング２の後部に、側面視コ字状のハンドルハウジング８を連結している。ツールホルダの先端には、操作スリーブ９によって先端工具（図１〜３では、１２０ｍｍ以上の最大穿孔深さに対応できるドリルビット（以下「ロングビットＬＢ」という。）を示す。）が装着可能となっている。１０は、ハンドルハウジング８に内蔵したスイッチに設けたスイッチレバー、１１は電源コードである。
【００１０】
ツールホルダには、クランク機構のコネクティングロッドによって往復動するピストンを含む打撃機構が設けられて、本体ハウジング２の側面に設けられたチェンジレバー１２により、打撃機構を動作させて先端工具に打撃を付与するハンマモード、回転機構を動作させてツールホルダと共に先端工具を回転させるドリルモード、打撃機構と回転機構とを同時に動作させて先端工具に打撃と回転とを付与するハンマドリルモードとが選択可能となっている。
【００１１】
モータハウジング３内において、モータ４の出力軸５は、図８に示すように、ギヤハウジング６を貫通してクランク機構の図示しないギヤに噛合しており、ギヤハウジング６の下方に形成されるファン収容室１３内で出力軸５には、それぞれ遠心ファンである上側ファン１４と下側ファン１５とが仕切盤１６を介して上下に設けられている。本体ハウジング２の前面には、ファン収容室１３と連通する開口１７が形成される一方、モータハウジング３の下部背面には、下側吸気口１８が形成されている。
【００１２】
また、上側ファン１４の上方でファン収容室１３内には、出力軸５の貫通孔２１を有して上側ファン１４の上方から本体ハウジング２の前面に延び、ファン収容室１３よりも左右及び後方が一回り小さい下板２０と、下板２０の外周に沿って立設されてギヤハウジング６との間を閉塞する周板２２とからなる皿部材１９が設けられている。この皿部材１９により、ファン収容室１３内に、上側ファン１４と連通して内部を仕切る分離室２３を形成している。皿部材１９の下板２０の前部は、本体ハウジング２の前部内側で下方へ一段落ち込む深底部２４となり、周板２２も、深底部２４と合わせて下方へ長くなって本体ハウジング２の前面に至り、開口１７を閉塞している。この前面の閉塞部分に、開口１７よりも一回り小さい縦長四角形状の３つの上側吸気口２５，２５・・が左右方向に並べて形成されている。そして、本体ハウジング２の右側面には、本体ハウジング２とギヤハウジング６との間を通ってファン収容室１３と連通する本機側排気口２６，２６が形成されている。
【００１３】
上側吸気口２５の後方で深底部２４には、左右方向のピン２８によって下端が回転可能に支持されるシャッタ部材２７が収容されている。このシャッタ部材２７は、常態では、ピン２８に巻回されて深底部２４とシャッタ部材２７とに係止するトーションバネ２９により、前方への起立位置に付勢されている。起立位置でのシャッタ部材２７の前面には、各上側吸気口２５に嵌合して各上側吸気口２５を閉塞する３つの嵌合凸部３０，３０・・が突設されている。
さらに、本体ハウジング２の前面下側には、本体ハウジング２の前側周面に沿って突設される受けフランジ３１と、その左右へ対称に設けられ、上方及び左右外向きに開放する半円状の下切欠き３２，３２とが設けられている。また、前ハウジング７の下面には、後方下向きに突出する爪３３が形成されて、前ハウジング７には、サイドハンドル３４が装着可能となっている。
【００１４】
（集塵装置の説明）
集塵装置４０は、図９〜１１にも示すように、ハンマードリル１へ装着される本体ケース４１と、本体ケース４１へ着脱可能に装着されるダストボックス４２と、本体ケース４１に連結されて先端にノズル４４を備えたスライド部４３とからなる。
まず本体ケース４１は、左右の半割ケース４１ａ，４１ｂを組み合わせてなり、前面がダストボックス４２の結合面、後面がハンマードリル１への装着面となる縦長の箱状体で、図１２，１３に示すように、ハンマードリル１の上側吸気口２５に対応する位置には、四角穴４５が貫通形成されている。また、本体ケース４１の後面で四角穴４５の下方には、ハンマードリル１のモータハウジング３の前面形状に沿って形成され、モータハウジング３への装着状態でその前面に当接する複数の当接リブ４６，４６・・が配置されている。
さらに、本体ケース４１の上面には、ハンマードリル１への装着時に爪３３を受け入れるガイド溝４７が前後方向に凹設されており、ガイド溝４７の下方で本体ケース４１の内部に、揺動板４８が横向きに設けられている。
【００１５】
この揺動板４８は、図８に示すように、前端に設けた左右方向の軸４９によって上下へ揺動可能に支持され、後端で左右方向の中央には、フック５０が上向きに設けられて、本体ケース４１に設けた透孔５１を介してガイド溝４７内に出没可能となっている。この揺動板４８は、軸４９に設けた図示しないトーションバネにより、フック５０がガイド溝４７内に突出する上方位置に付勢されている。揺動板４８の中央部上面には、ボタン部５２が設けられて、開口５３を介して本体ケース４１の上面に突出している。よって、ボタン部５２の押し込み操作によって揺動板４８を下方位置に揺動させれば、フック５０をガイド溝４７から下方へ退避させることができる。
【００１６】
さらに、本体ケース４１の後面で左右両側には、ハンマードリル１のモータハウジング３の前面両側に当接可能な係止板５４，５４が、上下方向に設けられて、係止板５４，５４の下部には、互いの対向側へ突出する係止軸５５，５５が突設されている。当接リブ４６は、係止板５４，５４の間に形成されて、係止軸５５，５５は、最下位置の当接リブ４６を受けフランジ３１に係止させた状態で、下切欠き３２，３２に係止可能となっている。
一方、本体ケース４１の前面側で上側の内面には、ダストボックス４２の後述する着脱用係止爪１２９が弾性係止する係止段部５６が形成され、下側の内面には、ダストボックス４２の受け凹部１２３が嵌合可能な軸部５７が左右方向に形成されている。
【００１７】
また、本体ケース４１の左側面上側には、中間筒５８が設けられている。この中間筒５８は、図９に示すように、本体ケース４１の左側の半割ケース４１ａと、その半割ケース４１ａにネジ止めされる外カバー５９とによって形成され、前方に開口して左側へ張り出す上端の受け筒部６０と、受け筒部６０と連通して本体ケース４１の左側面に沿って下向きに形成された後、前方へ折曲し、下端が前向きに開口する案内筒部６１とを備えている。
さらに、中間筒５８の前方で本体ケース４１の左側上部には、スライド部４３を下方から支持する支持アーム６２が設けられている。この支持アーム６２は、本体ケース４１から斜め前方へ突出し、上面に、図６，１２にも示すように、本体ケース４１寄りの上側受け面６３と、その外側の下側受け面６４との上下二段の水平な受け面を備えている。この両受け面６３，６４に跨がって固定されたガイド金具６５を介して、後述する如くスライド部４３が前後へスライド可能に保持されている。上側受け面６３の前後端縁には、ガイド金具６５の位置決め突起６６，６６が突設され、支持アーム６２の左側には、スライド部４３の左外側へ回り込む円弧状のストッパ６７が突設されている。
【００１８】
スライド部４３は、アルミ等の金属製である中空の筒状体で、右側面には、前後方向に長孔７０が形成されている。左側面には、全長に亘って上下二本のレール７１，７１が平行に設けられて、両レール７１，７１に上下から係合してレール７１，７１に沿って摺動可能な前ストッパ７２及び後ストッパ７３が、支持アーム６２のストッパ６７を挟んで前後に設けられている。レール７１，７１の間には、複数の歯からなるラック７４が設けられて、各前後ストッパ７２，７３には、ラック７４に噛合した状態で上方へ突出付勢されるロックボタン７５がそれぞれ設けられている。よって、ロックボタン７５を押し込んでラック７４との噛合を解除すると、前後ストッパ７２，７３はレール７１，７１に沿って摺動可能となり、ロックボタン７５の押し込みを解除すると、ロックボタン７５が上方への突出位置へ復帰してラック７４と噛合し、前後ストッパ７２，７３の摺動を規制することになる。
【００１９】
ノズル４４は、スライド部４３の前端に連結されてスライド部４３から右斜め上側へ略直角に突出する筒状体で、ノズル４４の基端は、スライド部４３の内部に突出している。ノズル４４の先端には、ビットが貫通するリング状の吸込口７６が形成されて、吸込口７６の後側の開口には、中心の透孔から放射状に複数の切込みを形成したゴムキャップ７７が嵌着され、前側の開口には、被加工面への当接状態で被加工面との間を閉塞するゴム製の閉塞リング７８が着脱可能に嵌着されている。
また、スライド部４３内で中間筒５８の受け筒部６０とノズル４４の基端との間には、集塵経路の一部となる蛇腹状のフレキシブルホース７９が接続されている。ここでのスライド部４３の後端は開放されて、内部のフレキシブルホース７９の後部が露出して受け筒部６０に接続されている。
【００２０】
（スライド部のガイド構造の説明）
次に、ガイド金具６５によるスライド部４３のガイド構造について詳述する。
まず、ガイド金具６５は、図１４に示すように、支持アーム６２の上側受け面６３にネジ止めされる上板８０と、下側受け面６４上に載置される下板８１と、上下板８０，８１同士を連結する連結部８２とからなる。上板８０は、平面視外形が前後方向に延びる矩形状で、前後両端に一対のネジ止め孔８３，８３と、その外側に一対の切欠き８４，８４が形成されている。下板８１も、平面視外形が前後方向に延びる矩形状であるが、長手方向の中央部には、外側へ開放する逃げ凹部８５が形成されている。
【００２１】
また、下板８１には、左右の長手辺から立ち上がる一対の立ち上げ部８６，８６と、立ち上げ部８６，８６の上端から内側へ対向状に延びる一対の被り部８７，８７とが形成されている。外側の立ち上げ部８６及び被り部８７は、逃げ凹部８５によって前後に分離している。
このガイド金具６５は、上板８０を上側受け面６３に、下板８１を下側受け面６４にそれぞれ載置して上板８０の切欠き８４，８４に上側受け面６３の位置決め突起６６，６６をそれぞれ嵌合させて位置決めした状態で、ネジ止め孔８３，８３を介してネジ８８，８８によって上側受け面６３に上板８０をネジ止めすることで、支持アーム６２に固定される。
【００２２】
一方、スライド部４３の下面には、ガイドレール９０が、長手方向に沿って同じ金属で一体に設けられている。このガイドレール９０は、長孔７０の下側の下縁に沿って下向きに形成される上レール９１と、上レール９１の下端へ直交状に連結される下レール９２とからなる横断面逆Ｔ字状を有し、下レール９２をガイド金具６５の下板８１に長手方向から嵌合させて上レール９１を被り部８７，８７の間を通過させることで、ガイド金具６５によって前後方向へスライド可能にガイドされる。下レール９２は、下板８１への嵌合状態で、底面に長手方向へ凹設した凹溝９３を除いて下板８１の底面に当接する下面９２ａと、左右の立ち上げ部８６，８６に当接する左右の側面９２ｂ，９２ｂと、被り部８７，８７に当接する上面９２ｃとの４面でガイドされることになる。
【００２３】
また、下板９２とガイドレール９０とは、図６に示すように、スライド部４３の中心Ｏを通る水平方向の断面線Ｌより下側の領域で、且つスライド部４３の左右幅Ｈよりも小さい幅内（下板９２及びガイドレール９０が、スライド部４３の平面視から突出しない領域内）に配置されている。
よって、スライド部４３は、ガイド金具６５によって回転を規制された状態で、前後ストッパ７２，７３がストッパ６７に当接する範囲で本体ケース４１の上方左側で前後移動可能に保持される。このスライド部４３の前後移動に伴い、フレキシブルホース７９はノズル４４の基端と中間筒５８の受け筒部６０との間で伸縮することになる。受け筒部６０は、スライド部４３の内径よりも小さくなっており、スライド部４３が後退する際は、長孔７０を介して受け筒部６０がスライド部４３内へ相対的に進入することでスライド部４３の後退を許容することになる。
【００２４】
一方、支持アーム６２内において、ガイド金具６５の下板８１の下方には、図７に示すように、渦巻きバネ９４が、左右方向の支持ピン９５によって回転可能に支持されている。この渦巻きバネ６４の外周側の端部９４ａが、下側受け面６４に設けた透孔９６及び下板８１の逃げ凹部８５を介して下板８１の上面に至り、そのまま下レール９２の凹溝９３内を通ってガイド金具６５の後方へ引き出されて、下レール９２の後端にネジ止めされて後ストッパ７３の後退位置を規制する止めリング９７に連結されている。従って、常態でのスライド部４３は、渦巻きバネ９４の引張力により、後ストッパ７３がストッパ６７に当接する前進位置（初期位置）へ付勢されることになる。
【００２５】
次に、ダストボックス４２は、図１５〜１７にも示すように、深底箱状のボックス本体１００と、そのボックス本体１００の開口１０１側で且つ長手方向の一端側にヒンジ軸１０２によって回転可能に結合される蓋体１０３とを備えてなる。蓋体１０３には、ボックス本体１００よりも一回り小さい四角筒状のフィルタ収納部１０４が一体形成されている。このフィルタ収納部１０４は、ボックス本体１００の開口１０１を閉じた状態でボックス本体１００内に突出するもので、内部には、蓋体１０３側の開口に嵌着される矩形状の枠体１０６に、枠体１０６の長手方向と平行な折り目で短手方向に折り畳まれた紙製のフィルタ１０７を取り付けたフィルタユニット１０５が収容されている。蓋体１０３側の開口には、キャップカバー１０８が被せられて、フィルタユニット１０５はキャップカバー１０８によって固定されている。蓋体１０３におけるヒンジ軸１０２と反対側の端部には、側面視がＬ字状となって先端がフィルタ収納部１０４の外側で平行に延びるループ部１０９が形成されている。
【００２６】
また、蓋体１０３の左側縁側には、本体ケース４１への結合状態で案内筒部６１と接続され、前後端が開口する四角筒１１０が、蓋体１０３と直交状に設けられてボックス本体１００内に突出している。ボックス本体１００の内面には、四角筒１１０が収容される円弧溝状の案内路１１１が、周方向に沿って外面に張り出す格好で形成されている。但し、この案内路１１１は、前方へ行くに従って徐々に浅く形成されて、フィルタ収納部１０４の前方では、ボックス本体１００と連続状に繋がっている。また、ボックス本体１００の内面には、案内路１１１の上下端でフィルタ収納部１０４側へ平行に突出し、フィルタ収納部１０４の四角筒１１０側の側面から周方向へ延び、フィルタ収納部１０４の反対側の側面まで回り込む上下一対の上リブ１１２及び下リブ１１３が形成されている。
フィルタ収納部１０４は、ボックス本体１００内への突出端も閉塞されて、ヒンジ軸１０２と反対の短手面（上側の短手面）側の面で突出端寄りの領域にのみ横長の通気孔１１４が形成されている。
【００２７】
キャップカバー１０８の上側には、角筒状の装置側排気口１１５が形成されている。この装置側排気口１１５は、本体ケース４１の四角穴４５を貫通する筒体で、装置側排気口１１５の前端には、全周に亘ってシール部材１１６が設けられている。装置側排気口１１５内でダストボックス４２の内部側には、内側へ凹む格好でコ字状の渡り片１１７が形成されて、渡り片１１７の底部に、斜め下向きの保持ボス１１８が形成されている。この保持ボス１１８には、別体の金属製である当接ピン１１９が差し込まれて、装置側排気口１１５及びシール部材１１６を貫通して斜め下向きに突出している。装置側排気口１１５は、渡り片１１７の下側に形成される出口１２０からフィルタ収納部１０４に連通している。１２１は、キャップカバー１０８の上面から前向きに設けられてループ部１０９の内側で蓋体１０３の上端に設けた係止突起１２２に係止する係止ループである。
【００２８】
一方、ボックス本体１００において、ヒンジ軸１０２側の端部の短手面には、ヒンジ軸１０２と平行な受け凹部１２３が形成されている。さらに、ヒンジ軸１０２と反対側の端部の短手面で開口際には、蓋体１０３を閉じた状態でキャップカバー１０８のループ部１０９が弾性係止する蓋用係止爪１２４が形成されている。同じ短手面には、蓋用係止爪１２４の左右に突設した一対の保持部１２５，１２５によって二股状の基端部が保持され、先端がボックス本体１００の短手面に設けた凹部１２８内に位置するＬ字状の弾性片１２７となる操作部材１２６が設けられている。この操作部材１２６における基端部側の外面には、蓋用係止爪１２４と略同形状の着脱用係止爪１２９が形成されている。
【００２９】
よって、蓋体１０３によってボックス本体１００の開口１０１を閉じると、ボックス本体１００の案内路１１１に蓋体１０３の四角筒１１０が嵌合して上下リブ１１２，１１３によってフィルタ収納部１０４との間で四角筒１１０の上下が仕切られる。こうしてダストボックス１００内には、図１６に示すように、四角筒１１０から吸い込まれた空気が案内路１１１から上下リブ１１２，１１３の間でボックス本体１００の内周に沿って旋回し、フィルタ収納部１０４を挟んだ反対側の蓋体１０３の右側縁側に回り込む半円状の旋回流路１３１と、旋回流路１３１を旋回した空気がボックス本体１００とフィルタ収納部１０４との間を通って衝突する蓋体１０３の内面部１３２とからなる粉塵分離部１３０が形成される。また、ボックス本体１００内には、四角筒１１０と連通する第１集塵室Ｄ１が形成され、フィルタ収納部１０４内には、第１集塵室Ｄ１と区画される第２集塵室Ｄ２が形成される。１３３は、蓋体１０３の裏面で外周に沿って設けられ、フィルタ収納部１０４を囲んでボックス本体１００の開口１０１との間をシールするシール材である。
【００３０】
このダストボックス４２を本体ケース４１の前方から、蓋体１０３を後側、受け凹部１２３を下側にした向きで、先に受け凹部１２３を軸部５７に係止させ、そのまま軸部５７を支点にして後方へ回転させるように本体ケース４１内に押し込む。すると、着脱用係止爪１２９が本体ケース４１の係止段部５６に弾性係止してダストボックス４２が本体ケース４１に結合される。このとき本体ケース４１の中間筒５８は、ダストボックス４２の四角筒１１０の前端に接続されて連通する。同時に、蓋体１０３に設けた装置側排気口１１５が、本体ケース４１の四角穴４５を貫通して後方へ突出する。この状態で当接ピン１１９も四角穴４５から後方へ突出することとなる。
【００３１】
（ハンマードリルへの集塵装置の装着）
以上の如く構成された集塵システムＳにおいては、ダストボックス４２を装着した集塵装置４０をハンマードリル１に装着する場合、まず本体ケース４１の係止軸５５，５５を、ハンマードリル１に設けた下切欠き３２，３２にそれぞれ係止させる。次に、その傾斜姿勢から、集塵装置４０の上側を後方へ押し上げるように回転させてハンマードリル１の前面に嵌合させると、揺動板４８のフック５０が前ハウジング７の爪３３に当接して本体ケース４１のガイド溝４７に没入し、揺動板４８を下方位置（解除位置）へ揺動させる。フック５０が爪３３を乗り越えると、図８に示すように、揺動板４８が上方位置（係止位置）へ揺動してフック５０を上方へ突出させて前ハウジング７の爪３３に係止させる。これにより集塵装置４０の装着が完了する。
【００３２】
この集塵装置４０の装着に伴い、本体ケース４１の四角穴４５を貫通した装置側排気口１１５から突出した当接ピン１１９が、シャッタ部材２７に当接し、トーションバネ２９の付勢に抗してシャッタ部材２７を後方へ倒伏させて、上側吸気口２５を開放させる。これと同時に装置側排気口１１５のシール部材１１６が上側吸気口２５の周囲に密着して、装置側排気口１１５と上側吸気口２５とをシール状態で連通させる。よって、吸込口７６から、ノズル４４、スライド部４３内のフレキシブルホース７９、中間筒５８、ダストボックス４２の四角筒１１０から粉塵分離部１３０、通気孔１１４、フィルタ収納部１０４、出口１２０を介して装置側排気口１１５に至る集塵経路Ｒ１と、上側吸気口２５からシャッタ部材２７の上方を通って分離室２３から上側ファン１４に至る吸気経路Ｒ２とが接続されることになる。
【００３３】
（ビットによる穿孔）
そして、スライド部４３と共に突出付勢される吸込口７６にビット（ロングビット又はショートビット）の先端が位置するように、スライド部４３のレール７１，７１上での後ストッパ７３の初期位置を調整して、穿孔深さに合わせて前ストッパ７２の位置を調整する。その後、吸込口７６を被穿孔面に当接させて、ハンマードリル１のスイッチレバー１０を押し込み操作してスイッチをＯＮさせると、モータ４が駆動して出力軸５が回転する。このとき、チェンジレバー１２によってドリルモード或いはハンマドリルモードが選択されていれば、ビットが回転して被穿孔面への穿孔が可能となり、穿孔が進むに連れて図１９に示すようにビット（ここではロングビットＬＢ）が吸込口７６を貫通してスライド部４３は渦巻きバネ９４の付勢に抗して支持アーム６２から相対的に後退する。このとき、受け筒部６０はスライド部４３内を相対的に前進し、フレキシブルホース７９を収縮させる。
【００３４】
ここでスライド部４３は、下側に設けたガイドレール９０が、支持アーム６２上のガイド金具６５により案内された状態でスライドする。直接ガイドされるのはガイドレール９０となるが、ガイドレール９０の下レール９２が前述のように上下左右の４面においてガイド金具６５の下板８１に支持されているため、ガイドレール９０はがたつくことなくスムーズにスライドできる。特に、スライド部４３の下側で左右幅内の狭い領域にガイドレール９０と下板８１とを配置しているので、スライドの際にガイドレール９０がこじれにくくなり、スライドの精度が良好となる。また、外部からの損傷も受けにくくなる。
【００３５】
（集塵作用）
一方、出力軸５の回転によって下側ファン１５が回転することで、モータハウジング３の下側吸気口１８から外気が吸い込まれ、モータ４を通過して冷却した後、下側ファン１５からファン収容室１３を通って本機側排気口２６から排出される。
同時に上側ファン１４が回転することで、集塵装置４０の吸込口７６に吸引力が発生し、穿孔時に発生する粉塵と共に空気が吸込口７６から吸い込まれ、ノズル４４を介してフレキシブルホース７９を通り、中間筒５８からダストボックス４２のボックス本体１００の四角筒１１０内に入る。
【００３６】
そして、図１６，１８に実線矢印Ａで示すように、四角筒１１０から出た空気は、案内路１１１及び上下リブ１１２，１１３に案内されて旋回流路１３１に沿って流れ、フィルタ収納部１０４の右側に回り込んで蓋体１０３の内面部１３２やボックス本体１００の内面等に衝突する。すると空気は、点線矢印Ｂで示すように上側に向きを変えてフィルタ収納部１０４の側面から上面側に回り込み、通気孔１１４からフィルタ収納部１０４内に入る。よって、比較的大きな粉塵は、旋回流路１３１を空気が旋回する際や内面部１３２に衝突して向きを変える際に分離されてボックス本体１００の第１集塵室Ｄ１内に落下する。上下リブ１１２，１１３は、フィルタ収納部１０４の右側では内面部１３２の手前で途切れているので、粉塵は下リブ１１３と内面部１３２との間の空間から落下できる。
【００３７】
フィルタ収納部１０４に入った空気は、フィルタ１０７を通過して出口１２０を介して装置側排気口１１５を通り、ダストボックス４２の外部に排出される。そして、上側吸気口２５を通って分離室２３に至り、倒伏位置にあるシャッタ部材２７の上側を通って皿部材１９の貫通孔２１から上側ファン１４及びファン収容室１３を通り、本機側排気口２６から排出される。
よって、細かい粉塵はフィルタ１０７に捕捉されてフィルタ収納部１０４にとどまる。この状態でフィルタ収納部１０４は上側の通気孔１１４を除いて第１集塵室Ｄ１とは区画されているので、フィルタ収納部１０４内の細かい粉塵は、ボックス本体１００内の大きい粉塵とは分離した状態で第２集塵室Ｄ２内に貯留される。
【００３８】
（集塵装置の取り外し及び粉塵の排出）
作業終了後、集塵装置４０を取り外す際には、ボタン部５２を押し込んで揺動板４８を下方の解除位置へ揺動させてフック５０を爪３３から外し、そのまま集塵装置４０を前方へ倒すように回転させると、そのまま集塵装置４０を取り外すことができる。この取り外しと同時に当接ピン１１９が前方へ移動してシャッタ部材２７の押し込みを解除するため、シャッタ部材２７は起立位置へ復帰して上側吸気口２５を閉塞する。
ダストボックス４２からの粉塵の排出は、本体ケース４１の前方から、ボックス本体１００の操作部材１２６の弾性片１２７を押し込んで係止段部５６への着脱用係止爪１２９の係止を解除すると、軸部５７を中心に前側へ傾動させてそのまま本体ケース４１から取り外すことができる。次に、蓋体１０３のループ部１０９を蓋用係止爪１２４から外して蓋体１０３をボックス本体１００から開放させれば、第１集塵室Ｄ１内に貯留した大きな粉塵を排出することができる。このとき、フィルタ収納部１０４の第２集塵室Ｄ２も通気孔１１４を介して同時に外部へ開放されるため、ダストボックス４２を傾けたり下向きにしたりすることで、細かい粉塵も通気孔１１４から排出可能となる。
【００３９】
（スライド部のガイドに係る発明の効果）
このように、上記形態の集塵装置４０によれば、スライド部４３には、本体ケース４１に設けられたガイド金具６５へスライド可能に支持されるガイドレール９０が設けられ、ガイド金具６５及びガイドレール９０は、スライド部４３の中心を通る断面線Ｌより下半分側の領域内に配置されていることで、スライド部４３の半分側の領域内にあるガイドレール９０のみでスライド部４３をガイドできるため、ガイド構造がコンパクトとなって狭い場所での操作性も良好となる。また、ガイドレール９０が露出しにくくなるため、損傷のおそれが少なくなる。さらに、狭い領域でガイドレール９０がガイドされることで、こじれやガタが生じにくくなり、スライド部４３を摺動性を保ちつつ精度よくガイドすることができる。
【００４０】
特にここでは、被ガイド部を、スライド部４３から突出したレール状の突起（ガイドレール９０）として、ガイドレール９０に、スライド方向と直交する横断面で見て４方向に被ガイド面（下レール９２の下面９２ａ、両側面９２ｂ、９２ｂ、上面９２ｃ）を形成しているので、スライド部４３を４方向の被ガイド面によってがたつきなくスムーズにガイドでき、ガイドの精度も良好となる。
また、ガイド部を金属製のガイド金具６５としているので、強度が確保できる。
【００４１】
さらに、スライド部４３は、本体ケース４１をハンマードリル１へ装着した状態で、ハンマードリル１のビットの真下から左側へずれる位置となるように本体ケース４１に配置されて、ガイドレール９０はスライド部４３の下方に突出して、ガイド金具６５及びガイドレール９０は、スライド部４３の中心より下側の領域内に配置されているので、ガイド金具６５及びガイドレール９０が平面視でスライド部４３から露出することがなく、外部（特に上方）からの損傷を受けにくくなる。
加えて、本体ケース４１に、スライド部４３を前方へ突出付勢する渦巻きバネ９４を設けて、渦巻きバネ９４を、ガイド金具６５とガイドレール９０との間を通ってスライド部４３に連結しているので、渦巻きバネ９４を省スペースでスライド部４３に連結することができる。
【００４２】
なお、上記形態では、スライド部を単一のパイプとしているが、図２０，２１に示すように、受け筒部６０に、フレキシブルホース７９の後部を覆ってスライド部４３内に後方から挿入されるパイプ１３４を連結して、スライド部４３をテレスコープ構造としてもよい。この場合、スライド部４３の前後へのスライドがパイプ１３４にもガイドされることになり、より摺動性が高まる。また、フレキシブルホース７９が露出しないため、フレキシブルホース７９のズレや損傷が防止可能となる。
さらに、上記形態では、スライド部をビットの左側へオフセットさせているが、これに限らず、支持アームを本体ケースの右側へ突出させてスライド部をビットの右側へオフセットさせてもよい。
【００４３】
但し、先の形態では、スライド部４３の初期位置で、フレキシブルホース７９の後部が接続される受け筒部６０よりも後端が前側に位置するようにスライド部４３の軸方向長さを短くしているので、スライド部４３が最大ストローク後退しても受け筒部６０から後方への後端の突出量が小さくて済み、作業の際にスライド部４３が邪魔にならないという効果が得られる。すなわち、ノズルを備えた筒状のスライド部内に、集塵経路を形成するフレキシブルホース等の管体を内挿して当該管体の後端をケース本体に接続した集塵装置であって、スライド部の軸方向長さを、スライド部の最前方位置でその後端が、管体の後端とケース本体との接続位置よりも前方に位置するように短く設定した発明が把握できる。
【００４４】
一方、上記形態のようにスライド部をビットの左右側へオフセットさせる構造に限らず、図２２〜２４に示す集塵装置４０Ａのように、スライド部４３Ａがビットの真下に位置するように本体ケース４１に対して支持させてもよい。
この集塵装置４０Ａは、ハンマードリル１Ａの前側下部のモータハウジング３に前方からスライド結合され、内部に集塵モータ及び吸込ファンを収容した側面視Ｌ字状の本体ケース４１を有し、モータハウジング３への結合と共に図示しない端子同士が電気的に接続されてハンマードリル１Ａから電力が供給される。
【００４５】
このスライド部４３Ａは、前端にノズル４４が上向きに連結される前筒１４０と、前筒１４０に後方から挿入される中筒１４１と、中筒１４１に後方から挿入される後筒１４２とを有し、前方へ行くに従って大径となる３つの筒体からなるテレスコープ構造となっている。本体ケース４１側の中間筒５８は、本体ケース４１内で左右方向の中央上部に設けられ、上端に突出させた受け筒部６０が、後筒１４２の後端に接続されている。フレキシブルホース７９は、図２５に示すように、スライド部４３Ａ内で受け筒部６０とノズル４４の基端との間に接続されている。
こうして前方側が大径となるテレスコープ構造としたことで、ノズル４４が後退してスライド部４３Ａが収縮すると、最大径の前筒１４０内に中筒１４１と後筒１４２が順番に収容され、本体ケース４１側では最小径の後筒１４２のみを保持すれば足りるため、本体ケース４１がコンパクトとなる。
【００４６】
そして、スライド部４３Ａのスライドをガイドするために、ここでは図２５，２６に示すように、前後ストッパ７２，７３及びレール７１、ラック７４を有するスライドバー１４３が、前筒１４０の左側へ、連結板１４４を介して前筒１４０と平行且つ一体に連結されている。ガイドレール９０Ａは、スライドバー１４３の右側面側（前筒１４０側）へ倒Ｔ字状に一体形成されている。よって、この形態では、横向きとなるガイドレール９０Ａの９１Ａを左レールと称し、左レール９１Ａと直交する９２Ａを右レールと称する。
【００４７】
ガイド金具６５Ａは、図２７，２８に示すように、スライド部４３Ａとスライドバー１４３との間で支持アーム６２内へ縦向きに形成された取付板１４５の左側面へ、前後位置で下向きに設けた取付片１４６，１４６を介して縦向きにネジ止めされる。ガイド金具６５Ａの上縁と、取付片１４６を除く下縁とには、左側に突出する上下の立ち上げ部８６，８６と、立ち上げ部８６，８６の先端から互いの対向側へ折曲する被り部８７，８７とが形成されて、ここにガイドレール９０Ａの右レール９２Ａが縦向きに嵌合することで、右レール９２Ａの上下左右の４面（被ガイド面１４７ａ〜１４７ｄ）がガイド金具６５Ａに支持されるようになっている。なお、渦巻きバネ９４は、ガイド金具６５Ａの左側に配置されて、端部９４ａは、スライドバー１４３の下面に沿って後方へ引き出されてスライドバー１４３の後端の止め具１４８にネジ止めされる。
【００４８】
この集塵装置４０Ａにおいても、スライド部４３Ａには、本体ケース４１に設けられたガイド金具６５Ａへスライド可能に支持されるガイドレール９０Ａが設けられ、ガイド金具６５Ａ及びガイドレール９０Ａは、スライド部４３Ａの中心を通る上下方向の断面線Ｌ１より左半分側で、且つスライド部４３Ａの上下高さＨ１よりも小さい高さ寸法内（上下の立ち上げ部８６，８６を含む部分及びガイドレール９０Ａが、スライド部４３Ａの右からの側面視でスライド部４３Ａから突出しない領域内）に配置されている。
よって、ガイドレール９０Ａのみでスライド部４３Ａをガイドでき、ガイド構造がコンパクトとなる。また、スライド部４３Ａとスライドバー１４３との間に位置するガイドレール９０Ａがガイドされるため、損傷のおそれが少ない上、狭い部分がガイドされることでこじれが生じにくくなり、スライド部４３Ａを精度よくガイドすることができる。
【００４９】
特にここでは、スライド部４３Ａは、ドリルビットＬＢの真下に位置するように本体ケース４１に配置されて、ガイドレール９０Ａは、スライド部４３Ａの真下から左側へずれる位置に配置され、ガイド金具６５Ａ及びガイドレール９０Ａは、スライド部４３Ａの中心より左側の領域内に配置されているので、ガイド金具６５Ａ及びガイドレール９０が右からの側面視でスライド部４３Ａから露出することがなく、外部（特に側方）からの損傷を受けにくくなる。
【００５０】
その他、各形態に共通して、ここではスライド部の突出付勢に渦巻きバネを用いているが、付勢手段はこれに限らず、ホースバネ等を用いることも可能である。
また、集塵装置の着脱について、上記形態では本体ケースの下側を係止させて上側を回転させる構造となっているが、これと逆に、本体ケースの上側を係止させて下側を回転させる構造も採用できる。さらに、左右何れか一方側を係止させて他方側を回転させる横向き回転式の着脱構造も採用可能である。ダストボックスも着脱可能な別体構造とするものに限らず、本体ケース内に一体の集塵部を設けて蓋体の開放によって粉塵の排出を可能としてもよい。
【００５１】
そして、ハンマードリルの形態も、モータが横向きであったり、ＡＣ機でなく電源としてバッテリーパックを使用するＤＣ機であったりしても差し支えない。勿論ハンマードリルに限らず、集塵装置を装着可能であれば、電動ドリル等の他の電動工具であっても本発明は適用可能である。
【符号の説明】
【００５２】
１，１Ａ・・ハンマードリル、２・・本体ハウジング、３・・モータハウジング、４・・モータ、５・・出力軸、６・・ギヤハウジング、７・・前ハウジング、１３・・ファン収容室、１４・・上側ファン、１５・・下側ファン、１８・・下側吸気口、１９・・皿部材、２３・・分離室、２５・・上側吸気口、２７・・シャッタ部材、２６・・本機側排気口、４０，４０Ａ・・電動工具用集塵装置、４１・・本体ケース、４２・・ダストボックス（集塵部）、４３，４３Ａ・・スライド部、４４・・ノズル、４５・・四角穴、４８・・揺動盤、５８・・中間筒、６０・・受け筒部、６１・・案内筒部、６２・・支持アーム、６３・・上側受け面、６４・・下側受け面、６５，６５Ａ・・ガイド金具（ガイド部）、７６・・吸込口、８０・・上板、８１・・下板、８２・・連結部、８３・・ネジ止め孔、８５・・逃げ凹部、８６・・立ち上げ部、８７・・被り部、９０，９０Ａ・・ガイドレール（被ガイド部（突起））、９１・・上レール、９１Ａ・・左レール、９２・・下レール、９２Ａ・・右レール、９２ａ・・下面（被ガイド面）、９２ｂ・・側面（被ガイド面）、９２ｃ・・上面（被ガイド面）、９３・・凹溝、９４・・渦巻きバネ、１００・・ボックス本体、１０３・・蓋体、１０４・・フィルタ収納部、１０５・・フィルタユニット、１０７・・フィルタ、１１０・・四角筒、１１１・・案内路、１１５・・装置側排気口、１１６・・シール部材、１１９・・当接ピン、１３０・・粉塵分離部、１４３・・スライドバー、１４４・・連結板、１４７ａ〜ｄ・・被ガイド面、Ｓ・・集塵システム、Ｒ１・・集塵経路、Ｒ２・・吸気経路、ＬＢ・・ロングビット、Ｄ１・・第１集塵室、Ｄ２・・第２集塵室。
【図１】
2018114566.tif 000003
【図２】
2018114566.tif 000004
【図３】
2018114566.tif 000005
【図４】
2018114566.tif 000006
【図５】
2018114566.tif 000007
【図６】
2018114566.tif 000008
【図７】
2018114566.tif 000009
【図８】
2018114566.tif 000010
【図９】
2018114566.tif 000011
【図１０】
2018114566.tif 000012
【図１１】
2018114566.tif 000013
【図１２】
2018114566.tif 000014
【図１３】
2018114566.tif 000015
【図１４】
2018114566.tif 000016
【図１５】
2018114566.tif 000017
【図１６】
2018114566.tif 000018
【図１７】
2018114566.tif 000019
【図１８】
2018114566.tif 000020
【図１９】
2018114566.tif 000021
【図２０】
2018114566.tif 000022
【図２１】
2018114566.tif 000023
【図２２】
2018114566.tif 000024
【図２３】
2018114566.tif 000025
【図２４】
2018114566.tif 000026
【図２５】
2018114566.tif 000027
【図２６】
2018114566.tif 000028
【図２７】
2018114566.tif 000029
【図２８】
2018114566.tif 000030